(57)【特許請求の範囲】
【請求項１】
主幹ブレーカから各分岐ブレーカに伸びた充電部のうち、該分岐ブレーカを接続する為に上下に伸びた充電部の前面を、前記分岐ブレーカに接続した負荷の名称を記入可能な負荷名称記入板で覆うと共に、分電盤内に設置した機器の操作部以外を覆う配線オオイに前記負荷名称記入板に合わせた窓を設けて、前記配線オオイを装着した状態で、前記負荷名称記入板を露出、又は、透視可能とする分電盤の負荷名称記入板取付構造であって、
前記負荷名称記入板の上下両端部を保持する保持部を先端に設けた負荷名称記入板支持手段を分電盤底部から突設し、前記保持部が前記負荷名称記入板を前方に押圧する押し片と、前記負荷名称記入板に係止して前記押し片の圧力による飛び出しを阻止する爪片とで形成して成ることを特徴とする分電盤の負荷名称記入板取付構造。
【請求項２】
負荷名称記入板支持手段は、弾性変形可能であり、該負荷名称記入板支持手段を変形させて爪片による負荷名称記入板の係止を解除可能とする請求項１記載の負荷名称記入板取付構造。
【請求項３】
負荷名称記入板の上下両端部に設けた保持部の少なくとも一方が、２組の押し片と爪片を有し、何れか一方の前記負荷名称記入板の係止のみ解除可能な請求項１又は２記載の負荷名称記入板取付構造。
【請求項４】
負荷名称記入板支持手段は、充電部の支持具でもある請求項１乃至３の何れかに記載の負荷名称記入板取付構造。
【発明の詳細な説明】
【０００１】
【発明の属する技術分野】
本発明は、分電盤に関する。
【０００２】
【従来の技術】
従来の分電盤においては、図４（ａ）に示す分電盤１０１のように、負荷名称記入板１１３は配線オオイ１１６表面に取付けられていた。そして、図４（ｂ）に示す分電盤１０１のように、配線オオイ１１６を取外した時、主幹ブレーカ１１０から各分岐ブレーカ１１１に伸びた充電部１１２は、露出してしまっていた。又、分電盤の中にはその構成要素に配線オオイの無いもの（図示略）もあるが、その場合には、充電部の支持部材に、充電部カバーをタッピングネジ等でネジ止めして充電部の露出を防いでいた。
【０００３】
【発明が解決しようとする課題】
このため、施工時、結線作業をする際には、負荷名称記入板１１３が取付けられている配線オオイ１１６を取外して作業するため、作業対象の分岐ブレーカ１１１の接続負荷の確認が容易ではなく、誤結線をする恐れがあった。又、負荷名称記入板１１３を見ながら作業したい場合には、取外した配線オオイ１１６を分電盤１０１の横の見やすい位置に置いて作業することになり、誤って配線オオイ１１６を倒し傷をつけてしまわないようにする等、結線作業以外にも余計な注意をはらう必要があった。さらに、露出した充電部１１２での感電事故にも十分な注意をはらわなければならず、露出した充電部１１２を充電部カバーで覆う場合にはネジ止めする手間がかかっていた。
【０００４】
こうした問題に鑑み、本発明は、分電盤施工時、分岐ブレーカに電線を結線する際に、容易に接続負荷を確認でき、又、配線オオイを取外した状態でも、充電部の露出を無くすことで、感電等の事故を防ぐことができ、さらに、露出した充電部を簡単に覆う事ができる分電盤の実現を課題とする。
【０００５】
【課題を解決するための手段】
上記課題を解決するため、請求項１の発明は、主幹ブレーカから各分岐ブレーカに伸びた充電部のうち、該分岐ブレーカを接続する為に上下に伸びた充電部の前面を、前記分岐ブレーカに接続した負荷の名称を記入可能な負荷名称記入板で覆うと共に、分電盤内に設置した機器の操作部以外を覆う配線オオイに前記負荷名称記入板に合わせた窓を設けて、前記配線オオイを装着した状態で、前記負荷名称記入板を露出、又は、透視可能とする分電盤の負荷名称記入板取付構造であって、前記負荷名称記入板の上下両端部を保持する保持部を先端に設けた負荷名称記入板支持手段を分電盤底部から突設し、前記保持部が前記負荷名称記入板を前方に押圧する押し片と、前記負荷名称記入板に係止して前記押し片の圧力による飛び出しを阻止する爪片とで形成して成るように構成される。
【０００６】
請求項２の発明は、請求項１の発明において、負荷名称記入板支持手段は、弾性変形可能であり、該負荷名称記入板支持手段を変形させて爪片による負荷名称記入板の係止を解除可能に設けて構成される。
【０００７】
請求項３の発明は、請求項１又は２の発明において、負荷名称記入板の上下両端部に設けた保持部の少なくとも一方が、２組の押し片と爪片を有し、何れか一方の前記負荷名称記入板の係止のみ解除可能に構成される。
【０００８】
請求項４の発明は、請求項１乃至３の発明において、負荷名称記入板支持手段は、充電部の支持具でもあるように構成される。
【０００９】
【発明の実施の形態】
以下に、本発明に係る実施の形態を図面を基に詳細に説明する。尚、以下図中の同一の構成要素には同一の符号を付してある。
【００１０】
図１（ａ）に示す第一の実施形態の分電盤１は、主幹ブレーカ１０、分岐ブレーカ１１及び電線等の電設資材を収納した本体２と、本体２に着脱自由に蝶着されて主幹ブレーカ１０及び分岐ブレーカ１１の操作部１５を保護する分電盤扉（図示略、以下同じ）とからその外観が構成される。そして、分電盤扉を取外し、電線や露出した導体等の配線部を保護する配線オオイ１６を装着した状態では、主幹ブレーカ１０、複数の分岐ブレーカ１１の操作部１５が配線オオイ１６に設けた配置口３３から露出され、操作可能となっており、又、複数の分岐ブレーカ１１の操作部１５を左右に設け、その中間に長方形状の窓１７を打ち抜き形成してある。打ち抜いた窓１７では、配線オオイ１６と充電部１２の直線部分に取付けられている長方形状の負荷名称記入板１３とがフラットな面を成すように、或いは、透明の樹脂板をはめ込んで透視可能にすると良い。こうすれば、窓１７と負荷名称記入板１３の隙間から雨水や塵埃等が侵入する恐れがなくなり、分電盤１の保守管理が容易になる。
【００１１】
図１（ｂ）は、分電盤扉と配線オオイ１６の両方を取外した状態の分電盤１の正面図を示す。図１（ｂ）の主幹ブレーカ１０は、商用電源に接続される漏電遮断器を兼ねた遮断器であり、主幹ブレーカ１０の２次側電路での漏電や短絡事故等により定格電流以上の過電流を検知した時、電流を遮断するように動作し、商用電源からの分電盤への電力供給を全面停止して感電や火災等の２次災害を防止すると共に、電力供給側の電力伝送機器等を保護する。
【００１２】
又、接続負荷に定格電流を合わせて設けた複数の分岐ブレーカ１１は、主幹ブレーカ１０の出力端と充電部１２で分岐配線して接続される配線用遮断器であり、各分岐ブレーカ１１の過負荷接続や短絡事故等により定格電流以上の過電流を検知した時、電流を遮断するように動作して、電灯、電気機器等の接続負荷や配線設備等を保護する。
【００１３】
次に、充電部１２は、主幹ブレーカ１０と分岐ブレーカ１１とを接続する板状の銅等の剥き出しの導電材で形成され、そのうちの分岐ブレーカ１１との接続部は直線状の銅バー１８で形成してある。この銅バー１８の前面を覆うように、絶縁性材から成る負荷名称記入板１３が負荷名称記入板１３の上下両端部を保持する上負荷名称記入板支持具２５及び下負荷名称記入板支持具２７により、左右分岐ブレーカ間に装着される。尚、上負荷名称記入板支持具２５及び下負荷名称記入板支持具２７は負荷名称記入板支持手段の一形態である。そして、負荷名称記入板１３は、分岐ブレーカ１１に対応した位置に各分岐ブレーカ１１に接続される負荷の名称を記入できるように形成されている。
【００１４】
このように、充電部１２を覆うように負荷名称記入板１３を装着し、配線オオイ１６に負荷名称記入板１３に合わせた窓１７を設けることによって、配線オオイ１６を装着した状態であっても、負荷名称記入板１３が窓１７から露出され、接続先の負荷名称等を確認しながら操作部１５を操作でき、分電盤１の保守点検作業の確実性を増すことができる。一方、配線オオイ１６を取外した状態でも、接続先の負荷名称等を確認しながら結線作業が可能となるから、誤接続をより少なくすることができる。又、充電部１２が露出しないため、保護カバーとして作用し、銅バー１８への接触による感電等の事故を防止でき、安全性の向上を図ることができる。加えて、結線作業において、取外した配線オオイ１６は必要ないので、誤って配線オオイ１６を倒し傷をつけてしまわないようにする等の結線作業以外に注意を払う必要がなくなり、結線作業により集中できるから、誤接続をさらに少なくできる。
【００１５】
ここで、負荷名称記入板１３の充電部１２への装着について説明する。例えば、図２（ａ），（ｂ）に示すように、負荷名称記入板１３は分電盤１底部から突設した負荷名称記入手段である上負荷名称記入板支持具２５及び下負荷名称記入板支持具２７の先端に設けた左右の保持部２９により、負荷名称記入板１３の上下左右端部の４箇所を保持することにより充電部１２の左右分岐ブレーカ間の銅バー１８前面を覆うように装着される。
【００１６】
より詳しくは、爪片３１、板状の押し片３２を弾性材料を用いて一体に形成した保持部２９により保持される。つまり、負荷名称記入板１３は、下負荷名称記入板支持具２７の保持部２９の爪片３１と押し片３２との間に負荷名称記入板１３の下端部を一致させながら負荷名称記入板１３をのせ、下方向へ下負荷名称記入板支持具２７を押し広げると同時に、上負荷名称記入板支持具２５の保持部２９の爪片３１に負荷名称記入板１３の上端部を合わせて押し入れて弾性作用により充電部１２へ装着される。一方、負荷名称記入板１３の充電部１２からの取外しは、上負荷名称記入板支持具２５或いは下負荷名称記入板支持具２７の保持部２９に設けたツマミ部３０を押して、負荷名称記入板１３の手前への移動を制限していた爪片３１から開放すると同時に、押し片３２が負荷名称記入板１３を手前に押出して行われる。
【００１７】
このように、負荷名称記入板１３の充電部１２への装着は、上負荷名称記入板支持具２５及び下負荷名称記入板支持具２７の先端に設けられた保持部２９の爪片３１と押し片３２とで保持することにより行われるから、充電部１２からの取外しも同様に、着脱が容易になると共に、又、爪片３１、押し片３２と一体形成されたツマミ部３０を設けたことにより、ツマミ部３０を押す操作のみで爪片３１による負荷名称記入板１３の係止を解除することが可能となり、充電部１２からの取外しがより簡単になり、施工作業の簡略化を図ることができる。
【００１８】
又、第二の実施形態として、図３に示すように、上左負荷名称記入板支持具２５Ｌと上右負荷名称記入板支持具２５Ｒとを銅バー１８を支持する銅バー支持具３４に一体に形成し、又下左負荷名称記入板支持具２７Ｌと下右負荷名称記入板支持具２７Ｒとを銅バー支持具３４に一体に形成し、夫々の先端に設けられた保持部２９には爪片３１と押し片３２を設けてある。又、上右負荷名称記入板支持具２５Ｒと下左負荷名称記入板支持具２７Ｌの保持部２９にはツマミ部３０を設けてある。
【００１９】
そして、負荷名称記入板１３は、これらの上左負荷名称記入板支持具２５Ｌ及び上右負荷名称記入板支持具２５Ｒ，下左負荷名称記入板支持具２７Ｌ及び下右負荷名称記入板支持具２７Ｒの各先端に設けた保持部２９により、上下左右端部の４箇所を保持され充電部１２の左右分岐ブレーカ１１間の銅バー１８前面を覆うように装着される。ここで、本実施形態における、負荷名称記入板１３の充電部１２への装着及び取外しは第一の実施形態と同様に行われる。
【００２０】
このように、負荷名称記入板支持手段を上左負荷名称記入板支持具２５Ｌ、上右負荷名称記入板支持具２５Ｒ、下左負荷名称記入板支持具２７Ｌ及び下右負荷名称記入板支持具２７Ｒで形成することで、例えば上右負荷名称記入板支持具２５Ｒのツマミ部３０を押して爪片３１を開放すると共に押し板３２の押圧により負荷名称記入板１３が手前に押上げられても、上左負荷名称記入板支持具２５Ｌ、下左負荷名称記入板支持具２７Ｌ及び下右負荷名称記入板支持具２７Ｒの保持部２９の爪片３１は嵌合されたままなので負荷名称記入板１３の右上部のみが浮上がった状態で保持され、負荷名称記入板１３の脱落を防止することができる。そして、下左負荷名称記入板支持具２７Ｌのツマミ部３０を押しても同様の作用が得られる。尚、ツマミ部３０は、これらの上左負荷名称記入板支持具２５Ｌ及び上右負荷名称記入板支持具２５Ｒ，下左負荷名称記入板支持具２７Ｌ及び下右負荷名称記入板支持具２７Ｒの各先端に設けた保持部２９の少なくとも一つに設けても良い。又、負荷名称記入板支持手段は、負荷名称記入板１３の上下両端部を少なくとも各一箇所保持するように設ければ良い。又、負荷名称記入板支持手段は、上下同一の形状のものを反転して使用することもできる。
【００２１】
そして、上左負荷名称記入板支持具２５Ｌを始めとする負荷名称記入板支持手段と、充電部１２の銅バー１８を支持する銅バー支持具３４とを予め一体に形成してあるので、負荷名称記入板支持手段の後付けの手間を省くことができ、分電盤設置の作業時間を削減できる。
【００２２】
尚、以上実施形態では、左右２列に配置している分岐ブレーカの配列数を、１列の単列又は３，４列等の複数列とした構成の分電盤にも本発明は実施可能であり、又、ブレーカ数や配列方向の異なる分電盤においても、これに伴い構成される充電部に対し、負荷名称記入板支持手段を設けて負荷名称記入板を装着し、その負荷名称記入板に形状を合わせて配線オオイに窓を複数設ける等、本発明の趣旨を逸脱しない範囲で各部の形状、並びに、構成を適宜に変更して本発明を実施することも可能である。
【００２３】
【発明の効果】
以上詳述したように、請求項１の発明によれば、接続負荷を確認しながら分岐ブレーカに結線できるため、誤結線の防止となり未然に事故を防ぐことが可能となる。又、配線オオイを取外した状態でも、充電部が露出しないため、感電等の事故を防ぐことができ安全性の向上を図ることができる。さらに、負荷名称記入板の上下両端部を保持する負荷名称記入板支持手段を設けたので、負荷名称記入板の脱着を簡単に行うことができる。そして、結線作業において、配線オオイを必要としないので、作業の邪魔にならない場所へ置けば、結線作業により集中できるから、誤接続をさらに少なくできるという優れた効果を奏する。
【００２４】
請求項２の発明によれば、請求項１の効果に加えて、負荷名称記入板支持手段を弾性変形し易いように保持部に設けたツマミ部を押す操作のみで爪片による負荷名称記入板係止の解除動作が可能となり、充電部からの負荷名称記入板の取外しがより簡単になるという優れた効果を奏する。
【００２５】
請求項３の発明によれば、請求項１又は２の効果に加えて、充電部からの負荷名称記入板の取外し時、爪片の係止解除による負荷名称記入板の脱落防止が可能となるいう優れた効果を奏する。
【００２６】
請求項４の発明によれば、請求項１乃至３の効果に加えて、負荷名称記入手段と充電部の支持具とを予め一体に形成すれば、分電盤設置の部材を削減できると共に、負荷名称記入板支持手段の後付けの手間を省くことができ、分電盤設置の作業時間を削減できるという優れた効果を奏する。
【図面の簡単な説明】
【図１】本発明に係る分電盤の第１の実施形態を示し、（ａ）は分電盤扉を取外し、配線オオイを装着した状態での正面図、（ｂ）は分電盤扉と配線オオイを取外した状態での正面図である。
【図２】負荷名称記入板と上下負荷名称記入板支持具の部分概略図であり、（ａ）は正面図、（ｂ）は（ａ）のＡ−Ａ’矢視断面図である。
【図３】本発明に係る分電盤の第２の実施形態における、負荷名称記入板と上左及び上右負荷名称記入板支持具並びに下左及び下右負荷名称記入板支持具の部分概略図であり、（ａ）は正面図、（ｂ）は（ａ）のＢ−Ｂ’矢視断面図、（ｃ）は底面図である。
【図４】従来の分電盤を示し、（ａ）は分電盤扉を取外し、配線オオイを装着した状態での正面図、（ｂ）は分電盤扉と配線オオイを取外した状態での正面図である。
【符号の説明】
１・・分電盤、２・・本体、１０・・主幹ブレーカ、１１・・分岐ブレーカ、１２・・充電部、１３・・負荷名称記入板、１５・・操作部、１６・・配線オオイ、１７・・窓、１８・・銅バー、２５・・上負荷名称記入板支持具、２５Ｌ・・上左負荷名称記入板支持具、２５Ｒ・・上右負荷名称記入板支持具、２７・・下負荷名称記入板支持具、、２７Ｌ・・下左負荷名称記入板支持具、２７Ｒ・・下右負荷名称記入板支持具、２９・・保持部、３０・・ツマミ部、３１・・爪片、３２・・押し片、３３・・配置口、３４・・銅バー支持具。
【図１】
0004472842.tif 000002
【図２】
0004472842.tif 000003
【図３】
0004472842.tif 000004
【図４】
0004472842.tif 000005